(57)【要約】【課題】音響パラメーターを選択しやすく、調整のステップ数を減らすことができる補聴器調整装置を提供する。【解決手段】補聴器調整装置１は少なくとも１つの音響パラメーター２と、音響パラメーターを表示する表示手段３と、表示手段３に表示された前記音響パラメーター２を変更するための変更手段５と、表示手段に表示されたカーソル４と、カーソルの位置を制御するカーソル制御手段６と、カーソルの位置を検出するカーソル位置検出手段７と、カーソル４が変更手段５の表示される範囲に配置されたことを判定する判定手段８と、音響パラメーター２を選択する対象パラメーター選択手段９と、変化量入力手段１０から変化量を受け付ける変化量指示手段１１と、通信手段１２を備える。【選択図】図１
2007295324.tif 000002
【特許請求の範囲】
【請求項１】
補聴器の音響パラメーターのデジタルデータを設定する補聴器調整装置において、前記補聴器調整装置は少なくとも１つの前記音響パラメーターと、前記音響パラメーターを表示する表示手段を有し、前記表示手段に表示された前記音響パラメーターを変更するための少なくとも１つの変更手段と、前記表示手段に表示されたカーソルと、前記カーソルの動作を制御するカーソル制御手段と、前記表示手段内における前記カーソルの位置を検出するカーソル位置検出手段と、前記カーソルが前記変更手段の予め定められた表示範囲内に配置されたことを判定する判定手段と、変更可能な前記音響パラメーターを選択する対象パラメーター選択手段と、前記補聴器調整装置に変化量を入力する変化量入力手段と、変化量入力手段からの連続的な変化量を受け付ける変化量指示手段を備えたことを特徴とする補聴器調整装置。
【請求項２】
前記対象パラメーター選択手段が選択した複数の音響パラメーターを記憶するための選択パラメーター記憶手段と、前記補聴器調整装置に指示を入力する入力手段と、入力手段からの入力を受け付ける入力受付手段を有し、選択された複数の音響パラメーターを同時に変更できることを特徴とする請求項１記載の補聴器調整装置。
【請求項３】
前記カーソルが前記変更手段の予め定められた表示範囲内に配置された時間を検出する配置時間検出手段と、前記対象パラメーターが選択した複数の音響パラメーターを記憶するための選択パラメーター記憶手段を有し、選択された複数の音響パラメーターを同時に変更できることを特徴とする請求項１記載の補聴器調整装置。
【請求項４】
少なくとも１つ以上の前記変更手段は、個々に変化幅を設定できる変化幅設定手段を有することを特徴とする請求項２または３記載の補聴器調整装置。
【請求項５】
前記変化量入力手段からの連続的な変化量の変化速度を検出する変化速度検出手段を有し、前記変化速度検出手段が検出した変化速度に応じて音響パラメーターの変化幅を変更するパラメーター変化幅調整手段を備えることを特徴とする請求項１または２または３記載の補聴器調整装置。
【発明の詳細な説明】
【技術分野】
【０００１】
本発明は、補聴器調整装置に関する。
【背景技術】
【０００２】
従来、補聴器はアナログ回路を用いて、補聴機能を実現してきたが、近年は技術の発達によりデジタル化が進み、DSP（Digital Signal Processing）などによりデジタル信号処理を行い、補聴機能を実現する機器が多くなってきた。デジタル信号処理を用いた補聴器（以下デジタル補聴器）は音響特性を変更するための変更可能な音響パラメーターを複数有し、補聴器に接続した補聴器調整装置を操作することによりそれらの音響パラメーターを変更することができる。
【０００３】
従来の補聴器調整装置の音響パラメーターは、補聴器調整装置の画面上に配置されたスライダーコントロールやスピナに音響パラメーターを割り当て、補聴器調整装置の画面上でそれらを操作することにより、音響パラメーターを変更している（特許文献１参照）。
【０００４】
特許文献１記載の変数調整機構について、図１１を用いて説明する。
【０００５】
変数調整機構１００の表示画面上にはテキストボックス１４０、スライダーコントロール１５０、スピナ１６０が配置され、テキストボックス１４０に表示される表示値１４５とスライダーコントロール１５０、スピナ１６０は、ある変更可能な音響パラメーターに対応している。表示値１４５に対応した音響パラメーターの値は、スライダーコントロール１５０を調整ツマミ１５５をスライダーコントロールの矢印方向１７０、１７５に動かすことによって大・小に変更でき、それに伴い表示値１４５の表示も更新される。また、表示値１４５に対応した音響パラメーターの値は、スピナ１６０の矢印１６２および１６４をマウスでクリックすることによっても変更され、表示値１４５の表示もそれに伴って変更される。
【特許文献１】特開２００２−１６３０５２号公報
【発明の開示】
【発明が解決しようとする課題】
【０００６】
しかしながら、技術の発達によって、デジタル補聴器の性能も上がり、変更できる音響パラメーターの種類の数が増加してきている。補聴器調整装置の画面上に同時に多くの音響パラメーターを配置すればするほど、個々の音響パラメーターの表示が小さくなり、特許文献１に記載された方法では、調整したい音響パラメーターに対応するスライダーコントロール１５０の調節つまみ１５５やスピナ１６０に対して、小さな表示にカーソルを合わせるためにマウスでカーソルを移動させクリックすることが難しくなり、変更したい音響パラメーターと異なる場所をマウスでクリックしてしまい、行いたい操作と異なった操作をしてしまう可能性が高まるなど、作業性が悪く補聴器調整者（操作者）に負担がかかっている。
【０００７】
本発明は、音響パラメーターを選択しやすく、調整のステップ数を減らすことができ、補聴器調整者の補聴器調整時間を短縮することにより補聴器調整者の負担も軽減でき作業性のよい補聴器調整装置を提供することを目的とするものである。
【課題を解決するための手段】
【０００８】
上記目的を達成するために本発明の補聴器調整装置は、少なくとも１つ以上の音響パラメーターと、前記音響パラメーターを表示する表示手段を有し、前記表示手段に表示された前記音響パラメーターを変更するための少なくとも１つ以上の変更手段と、前記表示手段に表示されたカーソルと、前記カーソルの動作を制御するカーソル制御手段と、前記表示手段内における前記カーソルの位置を検出するカーソル位置検出手段と、前記カーソルが前記変更手段の予め定められた表示範囲内に配置されたことを判定する判定手段と、変更可能な前記音響パラメーターを選択する対象パラメーター選択手段と、前記補聴器調整装置に変化量を入力する変化量入力手段と、変化量入力手段からの連続的な変化量を受け付ける変化量指示手段を備える。
【０００９】
この構成により、前記対象パラメーター選択手段により前記音響パラメーターが選択された状態で、前記変化量指示手段が変化量入力手段から変化量を受け付けると、前記音響パラメーターを変更し、前記通信手段を用いて補聴器を調整することができる。
【００１０】
また、前記対象パラメーター選択手段が選択した複数の音響パラメーターを記憶するための選択パラメーター記憶手段と、前記補聴器調整装置に入力する入力手段と、入力手段からの入力を受け付ける入力受付手段を有する。
【００１１】
この構成により、選択された複数の音響パラメーターを同時に変更することができる。
【００１２】
また、前記カーソルが前記変更手段の予め定められた表示範囲内に配置された時間を検出する配置時間検出手段と、前記対象パラメーターが選択した複数の音響パラメーターを記憶するための選択パラメーター記憶手段を有する。
【００１３】
この構成により、前記カーソル制御手段を用いて複数の変更手段を選択することができ、選択された複数の音響パラメーターを同時に変更することができる。
【００１４】
また、少なくとも１つ以上の前記変更手段は、個々に変化幅を設定できる変化幅設定手段を有する。
【００１５】
この構成により、一度の変更操作で複数の音響パラメーターを同時にそれぞれの変化幅に応じて変更することができる。
【００１６】
また、前記変化量入力手段からの連続的な変化量の変化速度を検出する変化速度検出手段を有し、前記変化速度検出手段が検出した変化速度に応じて音響パラメーターの変化幅を変更するパラメーター変化幅調整手段を有する。
【００１７】
この構成により、前記変化量指示手段の変化量の変化速度で音響パラメーターの変化幅を調節できる。
【発明の効果】
【００１８】
本発明の補聴器調整装置は、音響パラメーターを選択しやすく、調整のステップ数を減らすことができ、作業性がよく補聴器調整者の補聴器調整時間を短縮することにより、補聴器調整者の負担も軽減できる。
【発明を実施するための最良の形態】
【００１９】
（第１の実施の形態）
図１は、本発明の第１の実施の形態における補聴器調整装置の概略図で、図２は補聴器調整装置の動作を説明するフローチャートである。
【００２０】
次に、図１と図２を使い、本実施の形態の補聴器調整装置１を説明する。
【００２１】
本実施の形態の補聴器調整装置１は、デジタル補聴器（音響特性を決定する音響パラメーターを係数デジタルデータとして保存する少なくとも１つ以上の記憶手段を有し、外部機器による前記係数デジタルデータの書き込み、読み込みを制御する通信手段を有する補聴器）を調整対象として、少なくとも１つ以上の音響パラメーター２を有し、音響パラメーター２は表示手段３によってディスプレイなどの補聴器調整装置１の画面上に表示される。補聴器調整装置１の画面上には、音響パラメーター２の他にマウスポインターなどのカーソル４とスライダーコントロール６ａやスピナ６bなどの音響パラメーター２の変更手段５が表示される。補聴器調整装置１の画面上に表示されるカーソル４はマウスなどのカーソル制御手段６により画面上を動かすことができる。補聴器調整装置１の画面に表示されるカーソル４の位置情報はカーソル位置検出手段７により検出される。
【００２２】
カーソルを移動し、任意に選択した音響パラメータ２の変更手段５の占有領域５a（変更手段５の表示が、ソフト的に変更手段５であると認識される画面上の範囲。一般に、変更手段５の図（アイコン）表示そのものの範囲＜占有領域５a）内で、クリックするなどして選択指示すると、カーソル位置検出手段７の検出したカーソル４の位置が変更手段５の表示範囲内（または占有領域５a内（以下同様で、いずれか一方で記載すること有り））であると判定手段８が判定を下すと、対象パラメーター選択手段９により、変更される音響パラメーター２が選択される。選択された音響パラメーター２は選択されていることがわかるように表示範囲（または占有領域５ａ）を点線で囲う、色を変える、輝度を変えるなどすることが好ましい。この状態で変化量指示手段１１が、例えばホイールマウスのホイール回転動作など変化量入力手段１０の入力を受け付けると（図２のS１０２）、補聴器調整装置１は対象パラメーター選択手段９により選択された音響パラメーター２に対応した変更手段５を選択し、音響パラメーター２の値をホイール回転動作などの変化量に応じて変更し、通信手段１２を通して、補聴器の記憶手段１３に記憶された音響パラメーター２を変更し、補聴器１４の音響特性を変更する。
【００２３】
これにより、表示手段３の表示画面上での変更手段５（スライダーコントロール６ａやスピナ６bなど）の表示された図よりも、変更手段が有する占有領域５aを広くすることで、音響パラメーター２を選択しやすくなり、変更するときのクリック動作などを減らすことができ、調整のステップ数を減らすことができ、作業性がよく補聴器調整者の補聴器調整時間を短縮することにより、補聴器調整者の負担も軽減できる便利な補聴器調整装置を提供することができる。
【００２４】
なお、本実施の形態では音響パラメーター２の変更手段５の説明にスライダーコントロール６ａやスピナ６bを用いたが、補聴器調整装置１の表示手段３の画面上に表示されるつまみの図（アイコン）など音響パラメーターを変更する手段であれば良い。また、カーソルの制御手段６にマウスを用いて説明したが、ジョイスティックやノートパソコンのマウスパッドなどカーソルを制御できる手段であれば良い。また、変化量入力手段１０をホイールマウスのホイール回転動作を用いて説明したが、ペンタッチやノートパソコンのマウスパッドのホイール回転動作など変化量入力ができる手段であれば良い。
【００２５】
（第２の実施の形態）
図３は、本発明の第２の実施の形態における補聴器調整装置の概略図で、図４は補聴器調整装置の動作を説明するフローチャートである。
【００２６】
次に、図３と図４を使い、本実施の形態の補聴器調整装置１を説明する。
【００２７】
本実施の形態の補聴器調整装置１は、少なくとも１つの音響パラメーター２を有し、音響パラメーター２は表示手段３によってディスプレイなどの補聴器調整装置１の画面上に表示される。補聴器調整装置１の画面上には、音響パラメーター２の他にマウスポインターなどのカーソル４とスライダーコントロール６ａやスピナ６bなどの音響パラメーター２の変更手段５が表示される。補聴器調整装置１の画面上に表示されるカーソル４はマウスなどのカーソル制御手段６により画面上を動かすことができる。補聴器調整装置１の画面に表示されるカーソル４の位置情報はカーソル位置検出手段７により検出される。判定手段８が、カーソル位置検出手段７の検出した位置を変更手段５の表示範囲内であると判定を下した状態で（図４のS１０１）、入力手段１６からクリック動作などの入力を入力受付手段１５が受け付けると、対象パラメーター選択手段９により、変更される音響パラメーター２が選択される（図４のS１０４）。ここで、選択された音響パラメーター２がわかるように表示範囲を点線で囲うなどすることが好ましい。選択された音響パラメーター２を選択パラメーター記憶手段１７が記憶する（図４のS１０５）。複数回上記の動作を繰り返し、１つ以上の音響パラメーター２（音響パラメーターａ、ｂ・・・）を選択パラメーター記憶手段１７が記憶した状態で変化量指示手段１１が例えばホイールマウスのホイール回転動作など変化量入力手段１０からの変化量入力を受け付けると（図４のS１０２）、補聴器調整装置１は選択パラメーター記憶手段１７に記憶された複数の音響パラメーター２にそれぞれ対応した複数の変更手段５（変更手段ａ、ｂ・・・）を変更する（図４のS１０３）。変更手段５は音響パラメーター２を変更し、通信手段１２を通して、補聴器の記憶手段１３に記憶された音響パラメーター２を変更し、補聴器１４の音響特性を変更する。
【００２８】
これにより、複数の音響パラメーター２を同時に変更でき、複数の音響パラメーターを個々に変更するよりもクリック動作などの回数を減らすことができ、補聴器調整者の調整時間を減らし、補聴器装用者に対しても作業性のよい補聴器調整装置を提供することができる。
【００２９】
なお、本実施の形態では音響パラメーター２の変更手段５の説明にスライダーコントロール６ａやスピナ６bを用いたが、補聴器調整装置１の表示手段３の画面上に表示されるつまみなど音響パラメーターを変更する手段であれば良い。また、カーソルの制御手段にマウスを用いて説明したが、ジョイスティックやノートパソコンのマウスパッドなどカーソルを制御できる手段であれば良い。また、変化量入力手段１０をホイールマウスのホイール回転動作を用いて説明したが、ペンタッチやノートパソコンのマウスパッドのホイール回転動作など変化量入力ができる手段であれば良い。
【００３０】
（第３の実施の形態）
図５は、本発明の第３の実施の形態における補聴器調整装置の概略図で、図６は補聴器調整装置の動作を説明するフローチャートである。
【００３１】
次に、図５と図６を使い、本実施の形態の補聴器調整装置１を説明する。
【００３２】
本実施の形態の補聴器調整装置１は、少なくとも１つ以上の音響パラメーター２を有し、音響パラメーター２は表示手段３によってディスプレイなどの補聴器調整装置１の画面上に表示される。補聴器調整装置１の画面上には、音響パラメーター２の他にマウスポインターなどのカーソル４とスライダーコントロール６ａやスピナ６bなどの音響パラメーター２の変更手段５が表示される。補聴器調整装置１の画面上に表示されるカーソル４はマウスなどのカーソル制御手段６により画面上を動かすことができる。補聴器調整装置１の画面に表示されるカーソル４の位置情報はカーソル位置検出手段７により検出される。判定手段８が、カーソル位置検出手段７の検出した位置を変更手段５の表示範囲内であると判定を下した状態で（図６のS１０１）、配置時間検出手段１８が変更手段５の表示範囲内にカーソル４が配置されている時間を検出し、予め定められた時間より長い場合、対象パラメーター選択手段９により、変更される音響パラメーター２が選択される(図６のS１０６)。ここで、選択された音響パラメーター２がわかるように表示範囲を点線で囲うなどすることが好ましい。選択された音響パラメーター２を選択パラメーター記憶手段１７が記憶する（図６のS１０５）。複数回上記の動作を繰り返し、１つ以上の音響パラメーター２を選択パラメーター記憶手段１７が記憶した状態で変化量指示手段１１が例えばホイールマウスのホイール回転動作など変化量入力手段１０からの変化量入力を受け付けると（図６のS１０２）、補聴器調整装置１は選択パラメーター記憶手段１７に記憶された１つ以上の音響パラメーター２にそれぞれ対応した複数の変更手段５を変更する（図４のS１０３）。変更手段５は音響パラメーター２を変更し、通信手段１２を通して、補聴器の記憶手段１３に記憶された音響パラメーター２を変更し、補聴器１４の音響特性を変更する。
【００３３】
これにより、音響パラメーター２の選択を簡単にでき、複数の音響パラメーター２を同時に変更できる。その結果、複数の音響パラメーターを個々に変更するよりもクリック動作などを減らすことができ、補聴器調整者の調整時間を減らし、補聴器装用者に対しても便利な補聴器調整装置を提供することができる。
【００３４】
なお、本実施の形態では音響パラメーター２の変更手段５の説明にスライダーコントロール６ａやスピナ６bを用いたが、補聴器調整装置１の表示手段３の画面上に表示されるつまみなど音響パラメーター２を変更する手段であれば良い。また、カーソル４の制御手段にマウスを用いて説明したが、ジョイスティックやノートパソコンのマウスパッドなどカーソル４を制御できる手段であれば良い。また、変化量入力手段１０をホイールマウスのホイール回転動作を用いて説明したが、ペンタッチやノートパソコンのマウスパッドのホイール回転動作など変化量入力１０ができる手段であれば良い。
【００３５】
（第４の実施の形態）
図７は、本発明の第４の実施の形態における補聴器調整装置の概略図で、図８は補聴器調整装置の動作を説明するフローチャートである。
【００３６】
次に、図７と図８を使い、本実施の形態の補聴器調整装置１を説明する。
【００３７】
本実施の形態の補聴器調整装置１は、少なくとも１つ以上の音響パラメーター２を有し、音響パラメーター２は表示手段３によってディスプレイなどの補聴器調整装置１の画面上に表示される。補聴器調整装置１の画面上には、音響パラメーター２の他にマウスポインターなどのカーソル４とスライダーコントロール６ａやスピナ６bなどの音響パラメーター２の変更手段５が表示される。変更手段５は、スライダーコントロール６ａの上部に音響パラメーター２を変更するときの変化幅を設定できるテキストボックスなどの変化幅設定手段１９を持っている。補聴器調整装置１の画面上に表示されるカーソル４はマウスなどのカーソル制御手段６により画面上を動かすことができる。補聴器調整装置１の画面に表示されるカーソル４の位置情報はカーソル位置検出手段７により検出される。判定手段８が、カーソル位置検出手段７の検出した位置を変更手段５の表示範囲内であると判定を下した状態で（図８のS１０１）、入力手段１６からクリック動作などの入力を入力受付手段１５が検出すると（図８のS１０４）、対象パラメーター選択手段９により、変更される音響パラメーター２が選択される（図８のS１０４）。ここで、選択された音響パラメーター２がわかるように表示範囲を点線で囲うなどすることが好ましい。複数回上記作業を繰り返し、選択された複数の音響パラメーター２を選択パラメーター記憶手段１５が記憶する（図８のS１０５）。１つ以上の音響パラメーター２を選択パラメーター記憶手段１５が記憶した状態で変化量指示手段１１が、例えばホイールマウスのホイール回転動作など変化量入力手段１０からの変化量入力を受け付けると（図８のS１０２）、補聴器調整装置１は選択パラメーター記憶手段１７に記憶された１つ以上の音響パラメーター２に対応した変更手段５をあらかじめ変化幅設定手段１９で設定された変化幅で変更する（図８のS１０７）。変更手段５は音響パラメーター２を変更し、通信手段１２を通して、補聴器の記憶手段１３に記憶された音響パラメーター２を変更し、補聴器１４の音響特性を変更する。
【００３８】
これにより、１つ以上の音響パラメーター２を同時に異なった変化幅で変更でき、１回のホイール動作で音響パラメーターの様々な変更ができ、補聴器調整者がより少ない動作で補聴器を調整できる効果がある。
【００３９】
なお、本実施の形態では、カーソルの制御手段にマウスを用いて説明したが、ジョイスティックやノートパソコンのマウスパッドなどカーソルを制御できる手段であれば良い。また、変化量入力手段１０をホイールマウスのホイール回転動作を用いて説明したが、ペンタッチやノートパソコンのマウスパッドのホイール回転動作など変化量入力ができる手段であれば良い。
【００４０】
音響パラメーター２の変更手段５の説明にスライダーコントロール６ａやスピナ６bを用いたが、キーボードなど音響パラメーターを変更する手段であれば良い。
【００４１】
（第５の実施の形態）
図９は、本発明の第５の実施の形態における補聴器調整装置の概略図で、図１０は補聴器調整装置の動作を説明するフローチャートである。
【００４２】
次に、図９と図１０を使い、本実施の形態の補聴器調整装置１を説明する。
【００４３】
本実施の形態の補聴器調整装置１は、少なくとも１つ以上の音響パラメーター２を有し、音響パラメーター２は表示手段３によってディスプレイなどの補聴器調整装置１の画面上に表示される。補聴器調整装置１の画面上には、音響パラメーター２の他にマウスポインターなどのカーソル４とスライダーコントロール６ａやスピナ６bなどの音響パラメーター２の変更手段５が表示される。補聴器調整装置１の画面上に表示されるカーソル４はマウスなどのカーソル制御手段６により画面上を動かすことができる。補聴器調整装置１の画面に表示されるカーソル４の位置情報はカーソル位置検出手段７により検出される。判定手段８が、カーソル位置検出手段７の検出した位置を変更手段５の表示範囲内であると判定を下すと（図１０のS１０１）、対象パラメーター選択手段９により、変更される音響パラメーター２が選択される（図８のS１０４）。ここで、選択された音響パラメーター２がわかるように表示範囲を点線で囲うなどすることが好ましい。音響パラメーター２を対象パラメーター選択手段９が選択した状態で変化量指示手段１１が例えばホイールマウスのホイール回転動作など変化量入力手段１０からの変化量入力を受け付けると（図１０のS１０２）、ホイールマウスのホイール回転動作の速度を変化速度検出手段２０が検出する。パラメーター変化幅調整手段２１は、変化速度検出手段２０が検出したホイールマウスのホイール回路の速度から変化幅を決定し、パラメーター変化幅調整手段２１が決定した変化幅で音響パラメーター２に対応した変更手段５を変更する（図８のS１０８）。変更手段５は音響パラメーター２を変更し、通信手段１２を通して、補聴器の記憶手段１３に記憶された音響パラメーター２を変更し、補聴器１４の音響特性を変更する。
【００４４】
これにより、ホイールマウスのホイール動作で音響パラメーター２の粗調整と微調整の両方できる補聴器調整装置を提供することができ、クリック動作を減らし、補聴器の調整値の変更が容易な補聴器調整装置を提供できる。
【００４５】
なお、本実施の形態では、請求項１記載の補聴器調整装置を例に説明を行ったが、請求項２または３記載の補聴器調整装置でも良い。音響パラメーター２の変更手段５の説明にスライダーコントロール６ａやスピナ６bを用いたが、補聴器調整装置１の表示手段３の画面上に表示されるつまみなど音響パラメーターを変更する手段であれば良い。また、カーソルの制御手段にマウスを用いて説明したが、ジョイスティックやノートパソコンのマウスパッドなどカーソルを制御できる手段であれば良い。また、変化量入力手段１０をホイールマウスのホイール回転動作を用いて説明したが、ペンタッチやノートパソコンのマウスパッドのホイール動作など変化量入力ができる手段であれば良い。また、変化速度検出手段２０がホイールの回転速度を検出すると説明したが、ホイールの回転速度だけではなく、ペンタッチやノートパソコンのマウスパッドのホイール動作など変化量の速度がわかるものであれば良い。
【産業上の利用可能性】
【００４６】
以上のように、本発明にかかる補聴器調整装置は、音響パラメーターを選択しやすく、補聴器の調整のステップ数を減らすことができ、補聴器調整者の補聴器調整時間を短縮するという効果を有し、補聴器調整装置などに用いる音響パラメーターの変更などに有効である。また、本発明は、補聴器に限らず、調整装置の画面上でパラメーターを変更するものに使っても良い。
【図面の簡単な説明】
【００４７】
【図１】本発明の第１の実施の形態における補聴器調整装置の概略ブロック図
【図２】（ａ）本発明の第１の実施の形態における補聴器調整装置のフローチャート（ｂ）フローチャートのステップに対応した表示画面イメージ図
【図３】本発明の第２の実施の形態における補聴器調整装置の概略ブロック図
【図４】（ａ）本発明の第２の実施の形態における補聴器調整装置のフローチャート（ｂ）フローチャートのステップに対応した表示画面イメージ図
【図５】本発明の第３の実施の形態における補聴器調整装置の概略ブロック図
【図６】（ａ）本発明の第３の実施の形態における補聴器調整装置のフローチャート（ｂ）フローチャートのステップに対応した表示画面イメージ図
【図７】本発明の第４の実施の形態における補聴器調整装置の概略ブロック図
【図８】（ａ）本発明の第４の実施の形態における補聴器調整装置のフローチャート（ｂ）フローチャートのステップに対応した表示画面イメージ図
【図９】本発明の第５の実施の形態における補聴器調整装置の概略ブロック図
【図１０】本発明の第５の実施の形態における補聴器調整装置のフローチャート
【図１１】従来技術の補聴器調整装置のブロック図
【符号の説明】
【００４８】
１    補聴器調整装置
２    音響パラメーター
３    表示手段
４    カーソル
５    変更手段
６    カーソル制御手段
６ａ    スライダーコントロール
６ｂ    スピナ
７    カーソル位置検出手段
８    判定手段
９    対象パラメーター選択手段
１０    変化量入力手段
１１    変化量指示手段
１２    通信手段
１３    記憶手段
１４    補聴器
１５    入力受付手段
１６    入力手段
１７    選択パラメーター記憶手段
１８    配置時間検出手段
１９    変化幅設定手段
２０    変化速度検出手段
２１    パラメーター変化幅調整手段
【図１】
2007295324.tif 000003
【図２】
2007295324.tif 000004
【図３】
2007295324.tif 000005
【図４】
2007295324.tif 000006
【図５】
2007295324.tif 000007
【図６】
2007295324.tif 000008
【図７】
2007295324.tif 000009
【図８】
2007295324.tif 000010
【図９】
2007295324.tif 000011
【図１０】
2007295324.tif 000012
【図１１】
2007295324.tif 000013